(57)【要約】      （修正有）【課題】投入された生ゴミを効率よく減量、減容できるようにし、その処理能力の向上を図り、装置を小形に製作できるようにした生ゴミ処理装置を提供すること。【解決手段】生ゴミ処理装置１は、生ゴミを投入するための投入口３と、この投入口３から投入された生ゴミを受けて収納すると共に、生ゴミを乾燥させる生ゴミ予備槽２と、この生ゴミ予備槽２の内部に設けられ、内部に収納された生ゴミを攪拌するための予備槽用攪拌部６と、生ゴミ予備槽に設けられ、予備槽用攪拌部により攪拌された生ゴミを生ゴミ予備槽から導出するための導出口１３と、この導出口を介して生ゴミ予備槽と連通され、導出口から導出された生ゴミを受けて収納すると共に、微生物を収容する生ゴミ処理槽１４と、この生ゴミ処理槽内に設けられ、内部の生ゴミと微生物とを混合、攪拌するための処理槽用攪拌部１９とを備えているものである。【選択図】図１
2006263636.tif 000002
【特許請求の範囲】
【請求項１】
生ゴミを投入するための投入口と、
この投入口から投入された前記生ゴミを受けて収納すると共に、前記生ゴミを乾燥させる生ゴミ予備槽と、
この生ゴミ予備槽の内部に設けられ、内部に収納された前記生ゴミを攪拌するための予備槽用攪拌部と、
前記生ゴミ予備槽に設けられ、予備槽用攪拌部により攪拌された前記生ゴミを前記生ゴミ予備槽から導出するための導出口と、
この導出口を介して生ゴミ予備槽と連通され、前記導出口から導出された前記生ゴミを受けて収納すると共に、微生物を収容する生ゴミ処理槽と、
この生ゴミ処理槽内に設けられ、内部の前記生ゴミと前記微生物とを混合、攪拌するための処理槽用攪拌部とを備えている
ことを特徴とする生ゴミ処理装置。
【請求項２】
予備槽用攪拌部は、生ゴミを攪拌すると共に、粉砕するものであり、
生ゴミ予備槽での生ゴミの乾燥は、前記生ゴミ予備槽内へ加温された空気を供給するか、前記予備槽用攪拌部にヒータを内蔵するか、前記生ゴミ予備槽の壁面にヒータを付設するかのいずれか一つを含むことを特徴とする請求項１記載の生ゴミ処理装置。
【請求項３】
生ゴミ処理槽内に水を供給する水供給部材を設けるようにしたことを特徴とする請求項１記載の生ゴミ処理装置。
【請求項４】
生ゴミを投入するための投入口と、
この投入口から投入された前記生ゴミを圧縮する生ゴミ圧縮槽と、
この生ゴミ圧縮槽に設けられ、前記生ゴミ圧縮槽により圧縮された前記生ゴミを前記生ゴミ圧縮槽から導出するための導出口と、
この導出口から導出された前記生ゴミを受けて収納すると共に、微生物を収容する生ゴミ処理槽と、
この生ゴミ処理槽内に設けられ、内部の前記生ゴミと前記微生物とを混合、攪拌するための処理槽用攪拌部とを備えている
ことを特徴とする生ゴミ処理装置。
【発明の詳細な説明】
【技術分野】
【０００１】
本発明は、家庭や店舗等から排出される生ゴミ廃棄物を処理する生ゴミ処理装置に関し、特に、装置の小形化を図れ、しかも、効率よく処理することのできる生ゴミ処理装置に関する。
【背景技術】
【０００２】
従来の生ゴミ処理の手段としては、生ゴミをヒータ等により乾燥させて減容させ（例えば、特許文献１参照）、例えば、これを焼却場で焼却処理する方法がある。
しかし、この方法では手間がかかると同時に、多額の焼却費用がかかり、しかも、公害等の問題も発生してくる。
また、他の手段として、バイオ式の生ゴミ処理装置が知られている（例えば、特許文献２参照）。しかし、この装置においても、多量の生ゴミを効率よく処理することは困難である。また、この多量の生ゴミを迅速に処理するためには、必然的に生ゴミの量に比例させ、生ゴミ処理装置自体を大きなものとしなければならなく、生ゴミ処理装置が著しく大形化しコスト高となる問題点があった。
【特許文献１】特開２０００−３０１１０６号公報
【特許文献２】特開２０００−７０９１０号公報
【発明の開示】
【発明が解決しようとする課題】
【０００３】
本発明は、前述した問題点を解決するためになされたもので、投入された生ゴミを効率よく減量、減容できるようにし、その処理能力の向上を図り、装置を小形に製作できるようにした生ゴミ処理装置を提供することを目的とする。
【課題を解決するための手段】
【０００４】
請求項１記載の生ゴミ処理装置は、生ゴミを投入するための投入口と、この投入口から投入された前記生ゴミを受けて収納すると共に、前記生ゴミを乾燥させる生ゴミ予備槽と、この生ゴミ予備槽の内部に設けられ、内部に収納された前記生ゴミを攪拌するための予備槽用攪拌部と、前記生ゴミ予備槽に設けられ、予備槽用攪拌部により攪拌された前記生ゴミを前記生ゴミ予備槽から導出するための導出口と、この導出口を介して生ゴミ予備槽と連通され、前記導出口から導出された前記生ゴミを受けて収納すると共に、微生物を収容する生ゴミ処理槽と、この生ゴミ処理槽内に設けられ、内部の前記生ゴミと前記微生物とを混合、攪拌するための処理槽用攪拌部とを備えているものである。
【０００５】
また、請求項２記載の生ゴミ処理装置は、請求項１記載の生ゴミ処理装置において、予備槽用攪拌部は、生ゴミを攪拌すると共に、粉砕するものであり、生ゴミ予備槽での生ゴミの乾燥は、前記生ゴミ予備槽内へ加温された空気を供給するか、前記予備槽用攪拌部にヒータを内蔵するか、前記生ゴミ予備槽の壁面にヒータを付設するかのいずれか一つを含むものである。
【０００６】
また、請求項３記載の生ゴミ処理装置は、請求項１記載の生ゴミ処理装置において、生ゴミ処理槽内に水を供給する水供給部材を設けるようにしたものである。
【０００７】
また、請求項４記載の生ゴミ処理装置は、生ゴミを投入するための投入口と、この投入口から投入された前記生ゴミを圧縮する生ゴミ圧縮槽と、この生ゴミ圧縮槽に設けられ、前記生ゴミ圧縮槽により圧縮された前記生ゴミを前記生ゴミ圧縮槽から導出するための導出口と、この導出口から導出された前記生ゴミを受けて収納すると共に、微生物を収容する生ゴミ処理槽と、この生ゴミ処理槽内に設けられ、内部の前記生ゴミと前記微生物とを混合、攪拌するための処理槽用攪拌部とを備えているものである。
【発明の効果】
【０００８】
請求項１記載の生ゴミ処理装置によれば、生ゴミを生ゴミ処理槽に直接投入せずに、先ず、生ゴミ予備槽に投入し、予備槽用攪拌部により攪拌しながら乾燥するようにしたため、多量の水分を含んだ生ゴミから効率よく水分を除去し、生ゴミを減量、減容された状態にした後、次の生ゴミ処理槽に導くようにしたため、小容量の生ゴミ処理槽でも、多量の生ゴミを収納処理でき、生ゴミ処理装置の小形化を図ることができる。
【０００９】
また、請求項２記載の生ゴミ処理装置によれば、生ゴミ予備漕内の生ゴミを加温して乾燥するようにしたため、生ゴミの水分をより迅速に効率よく除去できる。
【００１０】
また、請求項３記載の生ゴミ処理装置によれば、生ゴミ処理槽内に水供給部材を設けるようにしたため、生ゴミ処理槽内を微生物による分解処理に適した良好な環境に保持でき、生ゴミ分解処理能力をより向上できる。
【実施例１】
【００１１】
以下、本発明の実施例１について図１および図２に従って説明する。
１は、生ゴミ、例えば、飲食店等において発生する残飯、野菜屑等の生ゴミ廃棄物を処理するための生ゴミ処理装置である。２は、生ゴミ処理装置１の上部に配置された生ゴミ予備槽である。３は、生ゴミ予備漕２の上方に設けた、生ゴミを投入するための投入口である。この投入口３には、ヒンジ４を介して回動し、投入口３を開閉する投入用扉５を設けてある。そして、生ゴミ予備槽２は、投入口３から投入された生ゴミを受けて収納すると共に、生ゴミを乾燥させるために設けられている。
また、６は生ゴミ予備槽２の内部に設けられ、内部に収納された生ゴミ７を攪拌するための予備槽用攪拌部である。この予備槽用攪拌部６は、一端をモータ８に、他端を軸受９に軸支された回転軸１０と、この回転軸１０に取り付けられた複数の予備槽用攪拌翼１１とを備えている。なお、予備槽用攪拌部６により、生ゴミ７を攪拌すると共に、粉砕することが望ましい。
１２は、予備槽用攪拌翼１１に設けた折曲片である。また。１３は、生ゴミ予備槽２の下方に設けられ、予備槽用攪拌部６により攪拌された生ゴミ７を生ゴミ予備槽２から導出するための導出口である。
【００１２】
１４は、生ゴミ処理装置１の下部にあって、生ゴミ予備槽２の下方に位置され、導出口１３を介して生ゴミ予備槽２と連通され、導出口１３から導出された生ゴミ７を受けて収納すると共に、微生物（例えば、好気性微生物）の生息場所となる、おがくず、バーク等菌床１５（微生物の菌床１５）を収容する生ゴミ処理槽である。
この生ゴミ処理槽１４の下方には排出口１６を設けてあり、この排出口１６にはヒンジ１７を介して回動され、排出口１６を開閉するための排出用扉１８を設けてある。さらに、１９は生ゴミ処理槽１４内に設けられ、内部の生ゴミ７と微生物の菌床１５とを混合、攪拌するための処理槽用攪拌部である。
この処理槽用攪拌部１９は、一端を減速装置を設けたモータ２０に、他端を軸受２１により軸支された回転軸２２と、この回転軸２２に取り付けられた複数の処理槽用攪拌翼２３とを備えている。
【００１３】
次いで、以上のように構成する生ゴミ処理装置１の動作を説明する。使用者は投入用扉５を開放し、投入口３から生ゴミ７を投入する。投入された生ゴミ７は生ゴミ予備槽２内に収納される。次に、運転スイッチ（図示せず）を入れると、制御装置（図示せず）により、減速装置を設けたモータ８が低速運転され予備槽用攪拌翼１１が回転駆動され、内部の生ゴミ７を攪拌する。生ゴミ７は攪拌されることにより、多量の水分を効率よく除去され乾燥される。また、生ゴミ７は、予備槽用攪拌翼１１の折曲片１２の攪拌、案内作用により、攪拌されつつ徐々に投入口３側から導出口１３に向かって移動され、導出口１３を介して生ゴミ処理槽１４へ落下する。そして、所定時間、予備槽用攪拌翼１１が運転された後、制御装置によりモータ８が運転を停止する。なお、本実施例においては、生ゴミ７を導出口１３を介して生ゴミ処理槽１４へ徐々に落下するようにしたが、場合により、一気に落下させるようにしても良い。
【００１４】
また、予備槽用攪拌翼１１の形状、モータ８の運転時間、導出口１３の開口面積等は装置に適したものに設定される。また、図示しないが、生ゴミ予備槽２の底面を投入口３側から導出口１３に向かい少し低くなるように傾斜させ、生ゴミ７の移動を円滑にするようにしても良い。さらに、図示しないが、導出口１３にシャッターを設け、このシャッターを本発明の趣旨に沿って制御装置または手動操作により、開閉操作させても良い。また、生ゴミ７を処理が済んだ段階で、手作業で導出口１３から生ゴミ処理槽１４へ落下させるようにしても勿論良い。
【００１５】
また、図示しないが、生ゴミ予備槽２内の生ゴミ７を加温し、乾燥作用をより向上させても良い。この加温手段としては、生ゴミ予備槽２内へ加温された空気を供給するか、予備槽用攪拌部６にヒータを内蔵するか、生ゴミ予備槽２の壁面にヒータを付設するか等、種々の手段をとって良い。
【００１６】
そして、前述のように導出口１３から落下した生ゴミ７は、生ゴミ処理槽１４に収納される。その後、生ゴミ７は生ゴミ処理槽１４内で、おがくず等の微生物の菌床１５と共に処理槽用攪拌翼２３により攪拌され、微生物により分解処理される。
【００１７】
この生ゴミ処理槽１４内の生ゴミ７は、前述したように、予め生ゴミ予備槽２で充分乾燥され、生ゴミ７が減量、減容された状態にあるため、微生物による分解処理作用をより促進できると共に、小容量の生ゴミ処理槽１４でも多量の生ゴミ７を収納処理でき、生ゴミ処理装置１の小形化を図ることができる。
【００１８】
なお、図示しないが、生ゴミ処理槽１４内に水を供給する水供給部材を設け、生ゴミ７が微生物により分解され易い環境になるよう、生ゴミ処理槽１４内への水供給を制御するようにすると、処理がより促進できる。
【００１９】
また、生ゴミ処理装置１の生ゴミ処理槽１４は定期的に生ゴミ処理槽１４に収納された生ゴミ７、微生物の菌床１５および分解生成物を処理槽用攪拌翼２３で攪拌し、温度を調整する動作を自動的に繰り返して、生ゴミ７、微生物の菌床１５、分解生成物が一定の環境条件にあるように調整されている。
【００２０】
更に、微生物の菌床１５、つまり、生ゴミ処理槽１４内の微生物の菌床１５、生ゴミ７の分解生成物等は定期的に排出用扉１８を開放し、排出口１６から回収し、例えば、完熟堆肥に利用する。
【実施例２】
【００２１】
以下、本発明の生ゴミ処理装置の実施例２について、実施例１と同一部分に同一符号を付して示す図３乃至図５に従って説明する。
この実施例２は、生ゴミ予備槽２の構成を異なる形態にしたものである。この生ゴミ予備槽２は、生ゴミ処理装置１の上面から見て、全体として楕円形状に形成され、内部を矩形状の仕切り２４で区画することにより、槽内をトラック状に形成している。
そして、原動軸側であるモータ８側の回転軸２５と、従動軸側である回転軸２６とには各々スプロケット２７、２８を設けてある。スプロケット２７、２８間にはチェーン等の伝達部材２９が設けられている。１１は、Ｌ字形状に形成した取付部材３０に攪拌部材３１を取り付け構成した予備槽用攪拌翼である。この予備槽用攪拌翼１１は、取付部材３０の端部を伝達部材２９に一体化された状態に固定し取付されており、伝達部材２９の全周にわたり所定間隔をもって複数個設けてある。つまり、モータ８、スプロケット２７、２８、伝達部材２９および予備槽用攪拌翼１１とで予備槽用攪拌部６を構成する。
【００２２】
次に、動作を説明する。モータ８の運転に伴いスプロケット２７、２８、伝達部材２９が各々駆動され、予備槽用攪拌翼１１も伝達部材２９と共に、トラック状の生ゴミ予備槽２内を鎖線矢印の向きに回転移動する。そのため、生ゴミ７は予備槽用攪拌翼１１により押され、攪拌、粉砕されると共に、水分を除去され乾燥されつつ生ゴミ予備槽２内を１周、回転移動された後、導出口１３から生ゴミ処理槽１４に落下し、生ゴミ処理槽１４内で分解処理される。
【００２３】
なお、導出口１３に、前述実施例１と同様のシャッターを設け、適宜開閉制御するようにしても良い。この場合は、生ゴミ７が生ゴミ予備槽２内を複数周、回転移動された後、導出口１３から生ゴミ処理槽１４に落下するよう、導出口１３の開放時期を設定してもよい。この実施例２も実施例１と同様の作用効果をなす。
【実施例３】
【００２４】
以下、本発明の生ゴミ処理装置の実施例３について、実施例１、２と同一部分に同一符号を付して示す図６および図７に従って説明する。
実施例３も生ゴミ予備槽２の構成を異なる形態にしたものである。つまり、生ゴミ予備槽２をトラフ形状にし、この生ゴミ予備槽２の内部で、予備槽用攪拌翼１１を構成する螺旋状の羽根３２を付けた回転軸１０を回転する形態にしたものである。
【００２５】
動作を説明すると、投入口３から投入された生ゴミ７は、螺旋状の羽根３２の回転により、攪拌、水分の除去、乾燥および粉砕が行われつつ導出口１３に移送され、生ゴミ処理槽１４へ落下される。この実施例３も実施例１、２と同様の作用効果をなす。
【実施例４】
【００２６】
上述した実施例においては、投入口３から投入された生ゴミを乾燥させたが、投入された生ゴミを圧縮して生ゴミ処理槽１４に供給して微生物によって分解処理するものである。以下、本発明の生ゴミ処理装置の実施例４について、実施例１、２、３と同一部分に同一符号を付して、一部その説明を省略する（図８及び図９参照）。
２’は、投入口３から投入された生ゴミ７を圧縮する生ゴミ圧縮槽で、生ゴミ圧縮槽２’内には、スクリュープレスＰ（筒状の外筒スクリーンの内部にスクリュー軸を設け、投入された生ゴミ７を低速回転で入り口から出口に向かって移動させながら圧搾する。）が設けられている。なお、圧縮する前に、投入口３から投入された生ゴミ７を破砕機３０により破砕しても良い。
１３’は、生ゴミ圧縮槽２’に設けられ、生ゴミ圧縮槽２’により圧縮された生ゴミ７を生ゴミ圧縮槽２’から導出するための導出口である。
従って、投入口３から投入された生ゴミ７は、生ゴミ圧縮槽２’で圧縮され、圧縮された生ゴミ７が生ゴミ処理槽１４に供給され、生ゴミ処理槽１４内において、生ゴミ７は微生物によって分解処理される。
【図面の簡単な説明】
【００２７】
【図１】図１は、本発明の一実施例の生ゴミ処理装置を示す概略的縦断面図である。
【図２】図２は、図１のＡ−Ａ線に沿って切断した概略的断面図である。
【図３】図３は、図１の生ゴミ処理装置と異なる他の実施例の概略的縦断面図である。
【図４】図４は、図３のＢ−Ｂ線に沿って切断した概略的断面図である。
【図５】図５は、図３のＣ−Ｃ線に沿って切断した概略的断面図である。
【図６】図６は、図３の生ゴミ処理装置と異なる他の実施例の概略的縦断面図である。
【図７】図７は、図６のＤ−Ｄ線に沿って切断した概略的断面図である。
【図８】図８は、図６の生ゴミ処理装置と異なる他の実施例の概略的縦断面図である。
【図９】図９は、図８のＥ−Ｅ線に沿って切断した概略的断面図である。
【符号の説明】
【００２８】
１    生ゴミ処理装置
２    生ゴミ予備槽
３    投入口
６    予備槽用攪拌部
７    生ゴミ
１１  予備槽用攪拌翼
１３  導出口
１４  生ゴミ処理槽
１５  微生物の菌床
１９  処理槽用攪拌部
２３  処理槽用攪拌翼
【図１】
2006263636.tif 000003
【図２】
2006263636.tif 000004
【図３】
2006263636.tif 000005
【図４】
2006263636.tif 000006
【図５】
2006263636.tif 000007
【図６】
2006263636.tif 000008
【図７】
2006263636.tif 000009
【図８】
2006263636.tif 000010
【図９】
2006263636.tif 000011